(57)【特許請求の範囲】
【請求項１】
縮小閉空間を形成する縮小構造物と、
該縮小構造物内に設置されている縮小送信アンテナと、
前記縮小構造物内に設置されていて前記縮小送信アンテナが形成する電界レベルに応じた光信号を出力する光電界プローブと、
前記縮小構造物内に設置されていて前記縮小送信アンテナに前記光電界プローブの共振周波数の電波を発生させる発振手段と、
前記光信号に基づいて前記縮小送信アンテナが形成する電界レベルを検出する電界検出手段と、
前記電界検出手段が検出した電界レベルに基づいて閉空間を形成する構造物内で所定周波数の電波を発生する送信アンテナが形成する電界の分布を推定する推定手段とを備えた電界推定装置であって、
前記縮小構造物が、前記構造物の寸法を前記共振周波数に対する前記所定周波数の割合で縮小した寸法を有するように設けられていて、
前記縮小送信アンテナが、前記送信アンテナの寸法を前記共振周波数に対する前記所定周波数の割合で縮小した寸法を有するように設けられていることを特徴とする電界推定装置。
【請求項２】
前記推定手段が、前記電界検出手段が検出した電界レベルに２０×ｌｏｇ10（前記所定周波数／前記共振周波数）を加算して求めた電界レベルを前記構造物内で所定周波数の電波を発生する送信アンテナが形成する電界レベルとして推定することを特徴とする請求項１記載の電界推定装置。
【請求項３】
前記推定手段が、予め定めた原点と前記光電界プローブとの相対距離を入力するための相対距離入力手段と、前記入力された相対距離を（前記共振周波数／前記所定周波数）倍した実寸距離を求める実寸距離検出手段とを有し、前記加算して求めた電界レベルを前記原点から前記実寸距離だけ離れた位置での電界レベルとして推定することを特徴とする請求項２記載の電界推定装置。
【発明の詳細な説明】
【技術分野】
【０００１】
本発明は、電界推定装置に係り、特に、閉空間を形成する構造物内で所定周波数の電波を発生する送信アンテナが形成する電界分布を推定する電界測定装置に関するものである。
【背景技術】
【０００２】
近年では、車体内通信の主流が有線から無線に変わりつつある。無線通信を実現するには電磁波を空間に放射するためのアンテナが必要である。このアンテナの設置場所や仕様を確定するために、実際に車内でアンテナが形成する電界の分布を高い分解能で計測する手段が必要とされている。そしてこれらの需要に応える技術として、光電界プローブと光ファイバとを用いた方法が考えられている。光電界プローブ及び光ファイバはほぼ非金属で形成されており、光電界プローブ及び光ファイバ自身の影響による電界の乱れを防ぐことができる。
【０００３】
この光電界プローブを用いた電界推定装置について図６を参照して説明する。上述した電界の測定は大型電波暗室１０内で行われる。電波暗室とは、周囲に電波吸収材を貼りめぐらして、外部から侵入しようとする電磁波を遮蔽するとともに、内部の電磁波源から放射する電磁波を吸収して反射を抑え、電磁気的な仮想無限空間を形成する設備である。
【０００４】
電界測定装置は、上記大型電波暗室１０内に設置されていて閉空間を形成する構造物である車体１１と、この車体１１内の所望の位置に設置された送信アンテナ１２と、この送信アンテナ１２に所定周波数の電波を発生させる発振器１３と、送信アンテナ１２が形成する電界に応じた光信号を出力する光電界プローブ１４とを備えている。所定周波数は、実車の無線で使用される周波数に設定される。光電界プローブ１４は図示しない位置決め手段により車体１１内に配置されている。
【０００５】
光コントローラ１６は、主に、光を発生する光源と光信号を電気信号に変換するＯ／Ｅ変換装置とで構成され、電波暗室１０の外に設けられる。光電界プローブ１４は、被測定部分の電界により屈折率が変化する電気光学材料から成り、光ファイバ１５によって伝送された光コントローラ１６からの光信号を電界の変化に応じて変調して光コントローラ１６に戻す。光コントローラ１６は、光電界プローブ１４から戻される変調された光信号を光ファイバ１５から受け取り電気信号に変換して、その電気信号をスペクトラムアナライザ１７（以下ＳＡ１７）に供給する。
【０００６】
ＳＡ１７は、光コントローラ１６から入力した電気信号をフーリエ変換して、電気信号に含まれる周波数成分毎の電気信号レベルを出力する装置である。このＳＡ１７から出力される周波数毎の電気信号レベルはパーソナルコンピュータ１８に供給される。パーソナルコンピュータ１８は、ＳＡ１７から供給される各周波数毎の電気信号レベルのうち所定周波数の電気信号レベルを抽出して、この抽出した所定周波数の電気信号レベルから電界レベルを求めて、現在光電界プローブ１４が配置されている位置での電界レベルとする。光電界プローブ１４を動かして車体１１内の各点での電界レベルを求めることにより、電界分布を求めることができる。
【発明の開示】
【発明が解決しようとする課題】
【０００７】
しかしながら、上述した光電界プローブ１４は、主に他の機器の動作を妨害するような電磁妨害波を与えず、かつ、電磁環境の妨害に耐えて満足に機能するための装置あるいはシステムの能力（ＥＭＣ）評価を行うために用いられている。このため、上述した光電界プローブ１４は、図２に示すように、例えば１０００ＭＨｚといった広帯域で一様なアンテナファクタ（ｄＢ／ｍ）を有するように設けられている。即ち、光電界プローブ１４は、その共振周波数ｆ１が１０００ＭＨｚ以下の広帯域内で現れないように設けられている。
【０００８】
従って、図２からも明らかなように光電界プローブ１４は、共振周波数ｆ１に比べて１０００ＭＨｚ以下の広帯域でアンテナファクタが高い値で一定になっている。ここで「アンテナファクタ」とは、光電界プローブ１４で測定して得られた電気信号から電界レベルを算出するための変換係数である（変換係数は、数値が大きいほど効率が悪く、受信感度が低い）。従って、光電界プローブ１４は、共振周波数ｆ１に比べて１０００ＭＨｚ以下の広帯域で受信感度が低い。
【０００９】
このため、キーレス、ＵＨＦ、パッシブ無線タグなどの周波数で車体の電界分布を測定する場合、送信アンテナ１２に供給する電力を高出力にしなければ正確に電界分布を測定することができないという問題があった。
【００１０】
また、自動車等の大型構造物が形成する閉空間の電界分布測定は、大型構造物が入る大きさの電波暗室が必要であり簡易な測定が困難な状況であった。
【００１１】
そこで、本発明は、上記のような問題点に着目し、アンテナに供給する電力を高出力にしなくても高精度で電界分布を測定することができ、かつ小型の電波暗室内での簡易な測定が可能となる電界推定装置を提供することを課題とする。
【課題を解決するための手段】
【００１２】
上記課題を解決するためになされた請求項１記載の発明は、縮小閉空間を形成する縮小構造物と、該縮小構造物内に設置されている縮小送信アンテナと、前記縮小構造物内に設置されていて前記縮小送信アンテナが形成する電界レベルに応じた光信号を出力する光電界プローブと、前記縮小構造物内に設置されていて前記縮小送信アンテナに前記光電界プローブの共振周波数の電波を発生させる発振手段と、前記光信号に基づいて前記縮小送信アンテナが形成する電界レベルを検出する電界検出手段と、前記電界検出手段が検出した電界レベルに基づいて閉空間を形成する構造物内で所定周波数の電波を発生する送信アンテナが形成する電界の分布を推定する推定手段とを備えた電界推定装置であって、前記縮小構造物が、前記構造物の寸法を前記共振周波数に対する前記所定周波数の割合で縮小した寸法を有するように設けられていて、前記縮小送信アンテナが、前記送信アンテナの寸法を前記共振周波数に対する前記所定周波数の割合で縮小した寸法を有するように設けられていることを特徴とする電界推定装置に存する。
【００１３】
請求項１記載の発明によれば、縮小構造物内で縮小送信アンテナに光電界プローブの共振周波数の電波を発生させて、その電波を光電界プローブ及び電界検出手段を用いて検出して、その検出結果に基づいて閉空間を形成する構造物内で所定周波数の電波を発生する送信アンテナが形成する電界分布を推定する。従って、光電界プローブの受信感度が最も良くなる共振周波数の電波が形成する電界を光電界プローブを用いて測定して、その結果により構造物内で所定周波数の電波を発生する送信アンテナが形成する電界分布を推定できる。しかも、構造物の寸法を縮小した縮小構造物内で測定した電界から構造物内で所定周波数の電波を発生する送信アンテナが形成する電界分布を推定できる。
【００１４】
請求項２記載の発明は、前記推定手段が、前記電界検出手段が検出した電界レベルに２０×ｌｏｇ10（前記所定周波数／前記共振周波数）を加算して求めた電界レベルを前記構造物内で所定周波数の電波を発生する送信アンテナが形成する電界レベルとして推定することを特徴とする請求項１記載の電界推定装置に存する。
【００１５】
請求項２記載の発明によれば、推定手段が、電界検出手段が検出した電界に２０×ｌｏｇ10（所定周波数／共振周波数）を加算して求めた電界レベルを構造物内で所定周波数の電波を発生する送信アンテナが形成する電界レベルとして推定する。従って、光電界プローブを用いて測定した光電界プローブの共振周波数の電波が形成する電界から閉空間を形成する構造物内で所定周波数の電波を発生する送信アンテナが形成する電界分布を正確に推定することができる。
【００１６】
請求項３記載の発明は、前記推定手段が、予め定めた原点と前記光電界プローブとの相対距離を入力するための相対距離入力手段と、前記入力された相対距離を（前記共振周波数／前記所定周波数）倍した実寸距離を求める実寸距離検出手段とを有し、前記加算して求めた電界レベルを前記原点から前記実寸距離だけ離れた位置での電界レベルとして推定することを特徴とする請求項２記載の電界推定装置に存する。
【００１７】
請求項３記載の発明によれば、推定手段内の相対距離入力手段によって縮尺構造物内の予め定めた原点と光電界プローブとの相対距離を入力することができる。相対距離が入力されると実寸距離検出手段が、その相対距離を（共振周波数／所定周波数）倍した実寸距離を求める。そして、推定手段が、電界検出手段が検出した電界に２０×ｌｏｇ10（所定周波数／共振周波数）を加算して求めた電界レベルを構造物内の原点から実寸距離だけ離れた位置での電界レベルとして推定する。従って、光電界プローブを用いて測定した光電界プローブの共振周波数の電波が形成する電界から閉空間を形成する構造物内で所定周波数の電波を発生する送信アンテナが形成する電界分布を正確に推定することができる。
【発明の効果】
【００１８】
以上説明したように請求項１記載の発明によれば、光電界プローブの受信感度が最も良くなる共振周波数の電波が形成する電界を光電界プローブを用いて測定して、その結果により構造物内で所定周波数の電波を発生する送信アンテナが形成する電界分布を推定できるので、アンテナに供給する電力を高出力にしなくても高い精度で電界分布を測定することができる。しかも、構造物の寸法を縮小した縮小構造物内で測定した電界から構造物内で所定周波数の電波を発生する送信アンテナが形成する電界分布を推定できるので、小型の電波暗室での簡易な測定が可能となる。
【００１９】
請求項２及び３記載の発明によれば、光電界プローブを用いて測定した光電界プローブの共振周波数の電波が形成する電界から閉空間を形成する構造物内で所定周波数の電波を発生する送信アンテナが形成する電界分布を正確に推定することができるので、より正確に電気分布を測定することができる。
【発明を実施するための最良の形態】
【００２０】
以下、本発明の一実施の形態を図面に基づいて説明する。図１（ａ）は、縮小車体及び縮小送信アンテナから構成される縮小モデルを用いた本発明の電界推定装置の一実施の形態を示す図であり、（ｂ）は実際に電界分布を測定したい車体及び送信アンテナの実寸モデルを示す図である。本実施形態では、同図（ｂ）に示すように長さＬ、高さＨ、幅Ｗ（図示せず）の車体１１内で周波数ｆ０（＝所定周波数）の電波を発生する送信アンテナ１２が形成する電界分布を推定したいとする。
【００２１】
本実施形態では、同図（ａ）に示すように電界の測定は小型電波暗室２０内で行われる。電波暗室とは、上述した背景技術でも説明したように周囲に電波吸収材を張りめぐらして、外部から侵入しようとする電磁波を遮蔽するとともに、内部の電磁波源から放射する電磁波を吸収して反射を抑え、電磁気的な仮想無限空間を形成する設備である。
【００２２】
電界推定装置は、同図（ａ）に示すように、縮小閉空間を形成する縮小車体２１（＝縮小構造物）と、この縮小車体２１内に設置されている縮小送信アンテナ２２と、この縮小送信アンテナ２２が形成する電界に応じた光信号を出力する光電界プローブ１４とを備えている。
【００２３】
光光コントローラ１６は、主に、光を発生する光源と光信号を電気信号に変換するＯ／Ｅ変換装置とで構成され、電波暗室１０の外に設けられる。光電界プローブ１４は、被測定部分の電界により屈折率が変化する電気光学材料から成り、光ファイバ１５によって伝送された光コントローラ１６からの光信号を電界の変化に応じて変調して光コントローラ１６に戻す。
【００２４】
光コントローラ１６は、光電界プローブ１４から戻される変調された光信号を光ファイバ１５から受け取り電気信号に変換して、その電気信号をスペクトラムアナライザ１７（以下ＳＡ１７）に供給する。
【００２５】
ＳＡ１７は、光コントローラ１６から供給された電気信号をフーリエ変換して、電気信号に含まれる周波数成分毎の電気信号レベルを出力する装置である。このＳＡ１７から出力される周波数毎の電気信号レベルはパーソナルコンピュータ１８（以下ＰＣ１８）に供給される。このＰＣ１８内の記憶媒体内には、電界を推定するためのプログラムが予め記憶されており、ＰＣ１８内の図示しないＣＰＵはこのプログラムに従って動作する。
【００２６】
上記ＰＣ１８は、ＳＡ１７から供給される周波数毎の電気信号レベルに基づいて縮小送信アンテナ２２によって形成される電界レベルを検出する電界検出処理を行う。以上のことから明らかなように、光コントローラ１６、ＳＡ１７及びＰＣ１８が請求項中の電界検出手段を構成する。また、ＰＣ１８は、推定手段として働き、電界検出処理によって検出した電界レベルに基づいて車体１１内で周波数ｆ０の電波を発生する送信アンテナ１２が形成する電界の分布を推定する推定処理を行う。
【００２７】
光電界プローブ１４のアンテナファクタと周波数との関係について図２を参照して以下説明する。背景技術でも説明したように光電界プローブ１４は例えば１０００ＭＨｚ以下の低い周波数帯で一定の感度を保っているが、それより高い周波数に共振周波数ｆ１（＞１０００ＭＨｚ）があり、受信感度が低周波数に比べて２０ｄＢ程度改善する。以上のことに着目して本発明は、光電界プローブ１４の共振周波数ｆ１に対応した縮小モデルを用いて、実際に測定したい周波数ｆ０の電界分布を推定する。光電界プローブ１４としては、共振周波数ｆ１が測定したい周波数ｆ０よりも高いものを用いる。
【００２８】
電界推定装置はさらに縮小送信アンテナ２２に光電界プローブ１４の共振周波数ｆ１の電波を発生させる発振器２３（＝発振手段）を備えている。
【００２９】
また、縮小車体２１が、車体１１の寸法を共振周波数ｆ１に対する周波数ｆ０の割合（ｆ０／ｆ１）で縮尺した寸法を有するように設けられている。より詳しく説明すると図１（ｂ）に示すように電界分布を測定したい車体１１の寸法が長さＬ、高さＨ、幅Ｗ（図示せず）であった場合、同図（ａ）に示すように縮小車体２１は、その寸法が長さ（ｆ０／ｆ１）×Ｌ、高さ（ｆ０／ｆ１）×Ｈ、幅（ｆ０／ｆ１）×Ｗ（図示せず）となるように設けられている。
【００３０】
また、縮小送信アンテナ２２が、送信アンテナ１２の寸法を共振周波数ｆ１に対する周波数ｆ０の割合（ｆ０／ｆ１）で縮尺した寸法を有するように設けられている。より詳しく説明すると、図３（ｂ）に示すように電界分布を知りたい送信アンテナ１２の寸法が縦Ｌ１、横Ｌ２、厚さＷ１の板状アンテナであった場合、図３（ａ）に示すように縮尺送信アンテナ２２はその寸法が縦（ｆ０／ｆ１）×Ｌ１、横（ｆ０／ｆ１）×Ｌ２、厚さ（ｆ０／ｆ１）×Ｗ１の板状アンテナとなるように設けられている。また、縮小車体２１内での縮小送信アンテナ２２の配置位置と車体１１内での送信アンテナ１２の配置位置とが相対的に同じ位置になるように縮小送信アンテナ２２が設置されている。
【００３１】
上述した構成の電界推定装置を用いた電界分布の推定方法について以下説明する。まず、測定者は、図４（ａ）に示すように、位置決め手段（図示せず）を用いて予め定めた位置を原点Ｏとした所望の位置（ｘ１、ｙ１、ｚ１）に光電界プローブ１４を位置決めして設置する。その後、測定者は、ＰＣ１８のキーボードを用いてＰＣ１８に対して光電界プローブ１４の現位置を示す縮小座標（ｘ１、ｙ１、ｚ１）を入力する。
【００３２】
上記位置決め手段の一例としては、ｘ軸、ｙ軸、ｚ軸に沿って移動可能なＸＹＺステージが考えられる。このＸＹＺステージとしては、所望の位置（ｘ１、ｙ１、ｚ１）を入力すると自動的に移動する自動ＸＹＺステージでもよいし、測定者の手動操作で移動する手動ＸＹＺステージでもよい。
【００３３】
上述した縮小座標（ｘ１、ｙ１、ｚ１）を構成する各要素ｘ１、ｙ１、ｚ１はそれぞれｘ軸、ｙ軸、ｚ軸方向の原点Ｏと光電界プローブ１４との相対距離に相当する。このことから明らかなように、ＰＣ１８のキーボードが請求項中の相対距離入力手段に相当する。
【００３４】
この座標（ｘ１、ｙ１、ｚ１）の入力に応じてＰＣ１８は、この縮小座標（ｘ１、ｙ１、ｚ１）を（ｆ１／ｆ０）倍した座標（（ｆ１／ｆ０）×ｘ１、（ｆ１／ｆ０）×ｙ１、（ｆ１／ｆ０）×ｚ１））（図４（ｂ）参照）を車体１１内での実寸座標とする。上記実寸座標（（ｆ１／ｆ０）×ｘ１、（ｆ１／ｆ０）×ｙ１、（ｆ１／ｆ０）×ｚ１））を構成する各要素（ｆ１／ｆ０）×ｘ１、（ｆ１／ｆ０）×ｙ１、（ｆ１／ｆ０）×ｚ１）が請求項中の実寸距離に相当する。このことから明らかなようにＰＣ１８は請求項中の実寸距離検出手段として働く。そして、上記実寸座標（（ｆ１／ｆ０）×ｘ１、（ｆ１／ｆ０）×ｙ１、（ｆ１／ｆ０）×ｚ１））が原点Ｏから実寸距離だけ離れた位置を表している。
【００３５】
次に、測定者は発振器２３を動作させて縮小送信アンテナ２２に光電界プローブ１４の共振周波数ｆ１の電波を発生させる。光電界プローブ１４は、この縮小送信アンテナ２２が形成する電界に応じた光信号を出力する。光電界プローブ１４から出力された光信号は光ファイバ１５を通じて光コントローラ１６に供給される。
【００３６】
光コントローラ１６は、光ファイバ１５を介して光電界プローブ１４から供給された光信号を電気信号に変換してＳＡ１７に供給する。ＳＡ１７は、光コントローラ１６から供給された電気信号をフーリエ変換して電気信号に含まれる周波数成分毎の電気信号レベルをＰＣ１８に供給する。ＰＣ１８は、ＳＡ１７から各周波数成分毎の電気信号レベルが供給されると、そのうち共振周波数ｆ１の電気信号レベルを抽出する。次に、ＰＣ１８は抽出した共振周波数ｆ１の電気信号レベルを下記の式（１）を用いて電界レベルＥ１［ｄＢＶ／ｍ］に変換する。
Ｅ１［ｄＢＶ／ｍ］＝ＡＦ［ｄＢ／ｍ］＋Ｖ［ｄＢＶ］…（１）
ＡＦ：共振周波数ｆ１での光電界プローブ１４のアンテナファクタ
Ｖ：ＳＡ１７から供給された共振周波数ｆ１の電気信号レベル
【００３７】
上記求めた電界レベルＥ１は、座標（ｘ１、ｙ１、ｚ１）での共振周波数ｆ１の電波を発生する縮小送信アンテナ２２が形成する電界レベルに相当する。次に、ＰＣ１８はこの縮小車体２１内で測定した電界レベルＥ１から実際に測定したい車体１１内での電界レベルＥ０を求める。
【００３８】
ＰＣ１８は、推定手段として働き、縮小車体２１内で測定した電界レベルＥ１を下記の式（２）に代入して、車体１１内で周波数ｆ０の電波を発生する送信アンテナ１２が形成する電界レベルＥ０を推定する。
Ｅ０［ｄＢＶ／ｍ］＝Ｅ１［ｄＢＶ／ｍ］＋２０×Ｌｏｇ10（ｆ０／ｆ１）［ｄＢ］
…（２）
【００３９】
ＰＣ１８は、この電界レベルＥ０を先ほど求めた実寸座標（（ｆ１／ｆ０）×ｘ１、（ｆ１／ｆ０）×ｙ１、（ｆ１／ｆ０）×ｚ１）での電界レベルとして各々対応付けて図示しない記憶媒体に記憶する。
【００４０】
その後、測定者は、上述した光電界プローブ１４を位置決め手段と用いて縮小車体２１内の各点に移動して位置決めし、位置決めする毎に縮小送信アンテナ２２に対する光電界プローブ１４の現位置である縮小位置をＰＣ１８に入力する。これを繰り返すことにより、実際に測定したいモデルの電界分布を推定することができる。
【００４１】
図５は、送信アンテナ１２からのｘ軸方向距離と、電界レベルとの関係を示すグラフである。図中、黒三角で示す点は車体１１内で９５３ＭＨｚの電波を発生する送信アンテナ１２が形成する電界レベルをシュミレーションした結果である。黒ダイヤで示す点は縮小車体２１内で光電界プローブ１４の共振周波数ｆ１（＝２８５９ＭＨｚ）の電波を発生する縮小送信アンテナ２２が形成する電界レベルから推定した結果を示すグラフである。
【００４２】
同図に示すように、測定時の誤差は多少あるが、定在波の腹節の位置や電界レベルはほぼ一致し、図１（ａ）に示すような縮小モデルでの測定から図１（ｂ）に示すような実寸モデル内の電界レベルを求めることができた。
【００４３】
上述した電界推定装置によれば、光電界プローブ１４の受信感度が最も良くなる共振周波数ｆ１の電波が形成する電界を光電界プローブ１４を用いて測定して、その結果により車体１１で周波数ｆ０の電波を発生する送信アンテナ１２が形成する電界分布を推定できるので、アンテナに供給する電力を高出力にしなくても高い精度で電界分布を測定することができる。しかも、車体１１の寸法を縮小した縮小車体２１内で測定した電界から車体１１内で周波数ｆ０の電波を発生する送信アンテナ１２が形成する電界分布を推定できるので、小型の電波暗室２０での簡易な測定が可能となる。
【００４４】
また、上述した電界推定装置によれば、ＰＣ１８が、光電界プローブ１４を用いて検出した縮小車体２２内の所望位置での電界レベルＥ１に２０×ｌｏｇ10（ｆ０／ｆ１）を加算して求めた電界レベルＥ０を車体１１内で周波数ｆ０の電波を発生する送信アンテナ１２が形成する電界レベルとして推定している。さらに、上述した電界推定装置によれば、ＰＣ１８には、光電界プローブ１４の縮尺座標（ｘ１、ｙ１、ｚ１）を入力することができる。縮尺座標（ｘ１、ｙ１、ｚ１）が入力されるとＰＣ１８が、その縮尺座標（ｘ１、ｙ１、ｚ１）を（ｆ１／ｆ０）倍した実寸座標（（ｆ１／ｆ０）×ｘ１、（ｆ１／ｆ０）×ｙ１、（ｆ１／ｆ０）×ｚ１）を求める。そして、上記求めた電界レベルＥ０を実寸座標（（ｆ１／ｆ０）×ｘ１、（ｆ１／ｆ０）×ｙ１、（ｆ１／ｆ０）×ｚ１）での電界レベルとして推定する。このため、光電界プローブ１４を用いて測定した光電界プローブ１４の共振周波数ｆ１の電波が形成する電界から閉空間を形成する車体１１内で周波数ｆ０の電波を発生する送信アンテナ１２が形成する電界分布を正確に推定することができる。
【００４５】
なお、上述した実施形態では、構造物として車体を用いていたが本発明はこの限りではない。例えば、さらに大型なバス・トラック・建物・航空機などにも適用することができる。
【００４６】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００４７】
【図１】（ａ）は本発明の電界推定装置の一実施の形態を示す図であり、（ｂ）は実際に電界分布を測定したい車体及び送信アンテナの実寸モデルを示す図である。
【図２】図１に示す光電界プローブ１４の周波数とアンテナファクタとの関係を示すグラフである。
【図３】（ａ）は図１（ａ）に示す縮小送信アンテナを示す図であり、（ｂ）は図１（ｂ）に示す送信アンテナを示す図である。
【図４】（ａ）は縮尺モデル内における光電界プローブの位置である縮尺座標を示す図であり、（ｂ）は実寸モデル内における測定点である実寸座標を示す図である。
【図５】送信アンテナからのｘ軸方向距離と電界レベルとの関係を示すグラフである。
【図６】従来の光電界プローブを用いた電界推定装置の一例を示す図である。
【符号の説明】
【００４８】
１１  車体（構造物）
１２  送信アンテナ
１３  発振器
１４  光電界プローブ
１６  光コントローラ（電界検出手段）
１７  スペクトラムアナライザー（電界検出手段）
１８  パーソナルコンピュータ（電界検出手段、推定手段、相対距離入力手段、実寸距離検出手段）
２１  縮小車体（縮尺構造物）
２２  縮小送信アンテナ
２３  発振器（発振手段）
ｆ０  周波数（所定周波数）
ｆ１  共振周波数
【図１】
0005341302.tif 000002
【図２】
0005341302.tif 000003
【図３】
0005341302.tif 000004
【図４】
0005341302.tif 000005
【図５】
0005341302.tif 000006
【図６】
0005341302.tif 000007